(57)【特許請求の範囲】
【請求項１】
フレキシブル回路ケーブル用のコネクタであって、
プリント回路基板に配置され、後部に端子挿入部が形成されたハウジングと、
該ハウジングを前記プリント回路基板に締結するため、前記ハウジングの前部の両側に挿入された取付け釘と、
複数の第１端子であって、各第１端子は、前記ハウジングの後部の両端部および前記ハウジングの後部の中央部における前記端子挿入部内に挿入および固定され、受け溝を有する第１端子第１ビームがその上部に形成され、前記フレキシブル回路ケーブルの底面の回路パターンに接触する第１端子第２ビームがその底部に形成されている、複数の第１端子と、
複数の第２端子であって、各第２端子は、前記ハウジングの後部の中央部における前記端子挿入部内に挿入および固定され、上方に膨らんだ部分を途中に含む支持面を有する第２端子第１ビームがその上部に形成され、前記回路パターンと接触する第２端子第２ビームがその底部に形成されている、複数の第２端子と、
アクチュエータであって、
前記取付け釘上での枢動を可能にする回転突起部が両端部から突出するように前記アクチュエータに形成され、これにより、前記アクチュエータが閉位置にあるとき、前記第１端子第２ビームおよび第２端子第２ビームと前記回路パターンとの間に電気的接続が確立され、
前記アクチュエータに、長さ方向に前記受け溝と接触するよう、回転軸が前記第１端子に相当する位置に形成され、長さ方向に前記第２端子第１ビームを挿入するため、第２端子挿入溝が前記第２端子に相当する位置に形成されているアクチュエータと、を備え、
該アクチュエータの前記回転軸が、前記受け溝に挿入されたときに、前記第１端子第１ビームが上から下に前記回転軸を支持し、前記第２端子第１ビームが、下から上に前記アクチュエータを支持し、これにより、前記受け溝から前記回転軸が脱離するのを防止する、コネクタ。
【請求項２】
前記アクチュエータが閉められるときに、該アクチュエータの下部が前記第２端子第１ビームの前記支持面に沿って誘導され、前記アクチュエータが、前記第２端子第１ビームの端部で支持される、請求項１に記載のコネクタ。
【請求項３】
前記アクチュエータが閉められるとき、該アクチュエータの前記回転軸が前記受け溝内に挿入されたままであり、また、前記アクチュエータが前記フレキシブル回路ケーブルを押し下げ、前記第１端子第２ビームおよび第２端子第２ビームを、前記アクチュエータ真下の前記フレキシブル回路ケーブルの底面の回路パターンと接触させる、請求項１に記載のコネクタ。
【請求項４】
前記アクチュエータが閉められるとき、該アクチュエータの下部が、前記第２端子第１ビームの前記支持面に沿って誘導される、請求項１に記載のコネクタ。
【請求項５】
フレキシブル回路ケーブル用のコネクタであって、
後端部に端子挿入部が形成されたハウジングと、
該ハウジングをプリント回路基板に締結するため、前記ハウジングの前部の両側に挿入された取付け釘と、
複数の第１端子であって、各第１端子が前記端子挿入部に挿入されて締結された、複数の第１端子と、
複数の第２端子であって、各第２端子が前記端子挿入部の反対側に挿入されて締結された、複数の第２端子と、
アクチュエータであって、前記取付け釘上で枢動するよう支持され、前記アクチュエータが閉位置にあるときに、前記フレキシブル回路ケーブルと前記第１端子および第２端子との間に電気的接続を確立する、アクチュエータと、を備え、
前記第１端子が、上から下に前記アクチュエータの回転軸を支持し、一方前記第２端子が、下から上に前記アクチュエータを支持し、
該アクチュエータが閉められるとき、該アクチュエータの下部が前記第２端子の上方に膨らんだ部分を途中に含む支持面に沿って誘導される、コネクタ。
【請求項６】
前記アクチュエータが閉められるときに、該アクチュエータが、前記第２端子の端部で支持される、請求項５に記載のコネクタ。
【請求項７】
前記アクチュエータが閉められるとき、該アクチュエータの前記回転軸が、前記第１端子の受け溝内に挿入されたままであり、前記アクチュエータが前記フレキシブル回路ケーブルを押し下げ、前記第１端子および第２端子を、前記アクチュエータ真下の前記フレキシブル回路ケーブルの底面の回路パターンと接触させる、請求項５に記載のコネクタ。
【発明の詳細な説明】
【技術分野】
【０００１】
本発明はフレキシブル回路ケーブルをプリント回路基板に接続するフレキシブル回路ケーブル用コネクタに関し、より詳細には、アクチュエータの中央部の弛みを防止する構造を有する、フレキシブル回路ケーブル用コネクタに関する。
【背景技術】
【０００２】
情報技術製品などにおける設計の自由度を増進させるため、剛性のプリント回路基板より、フレキシブルプリント基板（ＦＰＣ）およびフレキシブルフラットケーブル（ＦＦＣ）の使用が広く普及している。
【０００３】
通常、コネクタが、この種のフラット回路ケーブルをプリント回路基板に接続するために使用される。
【０００４】
図１（ａ）、（ｂ）及び（ｃ）で示す通り、日本国公開特許公報第２００６−１０００５７号で開示されているコネクタの場合、アクチュエータ（４００）が閉じた状態になるように枢動する際に、アクチュエータ（４００）は回転軸（４３０）を中心として枢動する。該回転軸（４３０）の形状が円形ではなく多角形であり、ヒンジ（４３０）と突起部（３２１）との間の接触が連続しているため、分離ゾーンが発生する。この分離ゾーンにより、アクチュエータの中央部が弛み、このため、突起部（３２１）からのアクチュエータのヒンジ軸（４３０）の問題的な脱離（または滑り）が発生する。
【０００５】
さらに、従来技術によるコネクタでは、２つのコネクタ（２３０）、（３３０）からの端子（３３０）の場合、その構造によりアクチュエータ（４００）のフレキシブル回路基板（１０）の端子とアクチュエータが押された場所の真下にある突起部（３２１）との間の接点の設置を妨げ、したがって、アクチュエータがフレキシブル基板（１０）に加える力が不十分となり、端子（３３０）とフレキシブル基板（１０）との間の電気接続が弱くなることに繋がるだけでなく、アクチュエータが閉位置にあるときに、フレキシブル基板（１０）が偶発的に滑り出るという問題的な傾向にも繋がる。
【発明の概要】
【発明が解決しようとする課題】
【０００６】
本発明は、上記の問題を解決するために発明され、アクチュエータを閉じた場合に、アクチュエータの下部が第２端子の支持面に沿い誘導されるため、外力がアクチュエータに加えられたとしても、アクチュエータの中央部が下方に弛むことなく、また受け溝内でアクチュエータの回転軸が偶発的に滑るのを効果的に防止することができる、第２端子（準端末）を備え、また接触突起部が前記アクチュエータ真下のフレキシブルケーブルの底面にある回路パターンに接触する構造を採用しているため、電気接続構造が改良されており、フレキシブルケーブルが偶発的に滑り出るのを防止する構造を有する、フレキシブル回路ケーブル用コネクタを提供することを目的とする。
【課題を解決するための手段】
【０００７】
上記目的を達成するため、本発明によるフレキシブル回路ケーブル用コネクタは、プリント回路基板に設置され、後部に端子挿入部が形成されたハウジングと、該ハウジングを前記プリント回路基板に締結するため、前記ハウジングの前部の両側に挿入された取付け釘と、前記端子挿入部内に挿入および固定され、上部に受け溝を有する第１ビームが形成され、また、底部に前記フレキシブル回路ケーブルの底面の回路パターンと接触する第２ビームが形成されている、複数の第１端子と、前記端子挿入部内に挿入および固定され、上部に支持面を有する第１ビームが形成され、一方底部には前記フレキシブル回路ケーブルの下面の回路パターンと接触する第２ビームが形成されている、複数の第２端子と、前記取付け釘上での枢動を可能にするよう、回転突起部が両端部から突起するよう形成され、そのため閉位置にて前記第２ビームと前記フレキシブル回路ケーブルの底面回路パターンとの間に電気的接続を確立し、またその上に、長さ方向に前記第１端子の前記受け溝と接触するよう、回転軸が前記第１端子に相当する位置に形成され、また、長さ方向に前記第２端子の前記第１ビーム挿入するため、前記第２端子に相当する位置に、第２端子挿入溝が形成されているアクチュエータと、を備え、該アクチュエータの前記回転軸が、前記受け溝に挿入されたときに、前記第１端子の前記第１ビームが、上から下に前記回転軸を（下方に）支持し、また前記第２端子の前記第１ビームが、下から上に前記アクチュエータを（上方に）支持するため、前記受け溝から前記回転軸が脱離するのを防止する。
【０００８】
前記アクチュエータが閉められているときに、該アクチュエータの下部は前記第１ビームの前記支持面に沿って誘導され、また前記アクチュエータが閉位置にあるときに、該アクチュエータは前記第１ビームの端部で支持される。
【０００９】
前記ハウジング後部の両端には、複数の第１端子のみが配置され、一方前記ハウジングの後部の中央部には、前記第１端子および前記第２端子が交互に配置される。
【００１０】
前記ハウジングの後部には、前記第１端子および前記第２端子が交互に配置される。
【００１１】
前記アクチュエータが閉められているとき、該アクチュエータの前記回転軸は、前記第１ビームの前記受け溝内に挿入されたままである。前記アクチュエータが閉位置にあるとき、該アクチュエータは前記フレキシブルケーブルを押し下げ、第２ビームの接触突起部を、前記アクチュエータ真下にある前記フレキシブルケーブルの前記底面回路パターンと接触させる。
【００１２】
前記アクチュエータが閉められているとき、該アクチュエータの下部は、前記第１ビームの支持面に沿って誘導され、これにより、前記アクチュエータの中央部が下方に弛むのを防止し、また該アクチュエータの前記回転軸が、前記受け溝から偶発的に滑り出るのを防止する。
【発明の効果】
【００１３】
上記の通り、本発明は、アクチュエータに外圧が加えられたとしても、アクチュエータが閉められているときに、第１端子（主端子）に加えて備えられている複数の第２端子（準端子）により、アクチュエータの下部が第２端子の支持面に沿って誘導されるため、アクチュエータの回転軸が受け溝から偶発的に滑るのを防止し、またアクチュエータの中央部が下方へ弛むのを防止する効果を有する。
【００１４】
さらに、本発明は、アクチュエータが閉位置にあるときにおいても、アクチュエータの下部が第２端子の第１ビーム端部で支持されるため、使用信頼度の向上を可能にし、また、アクチュエータの変形を防止する効果を有する。
【００１５】
さらに、本発明は、第２ビームの接触突起部が、前記アクチュエータ真下のフレキシブル回路ケーブルの底面回路パターンに接触するため、前記アクチュエータの閉位置で安定的接触をもたらす。
【図面の簡単な説明】
【００１６】
【図１】（ａ）、（ｂ）及び（ｃ）は従来技術の縦断面図である。
【図２】本発明のフレキシブル回路ケーブル用コネクタの斜視図であって、アクチュエータの開位置を示す図である。
【図３】本発明のフレキシブル回路ケーブル用コネクタの斜視図であって、アクチュエータの閉位置を示す図である。
【図４】本発明のフレキシブル回路ケーブル用コネクタの分解斜視図である。
【図５】本発明のフレキシブル回路ケーブル用コネクタの正面図である。
【図６】本発明のフレキシブル回路ケーブル用コネクタの上面図である。
【図７】図２の側面図である。
【図８】図３の側面図である。
【図９】図４の部分拡大図である。
【図１０】アクチュエータの開位置を示す、図５および図６の線Ｘ−Ｘに沿った横断面図である。
【図１１】アクチュエータの閉操作を示す図である。
【図１２】アクチュエータの閉位置を示す図である。
【図１３】アクチュエータの開位置を示す、図５および図６の線Ｙ−Ｙに沿った横断面図である。
【図１４】アクチュエータの閉操作を示す図である。
【図１５】アクチュエータの閉位置を示す図である。
【発明を実施するための形態】
【００１７】
以下に、図面を参照しながら、本発明の好ましい実施形態によるフレキシブル回路ケーブル用コネクタの詳細を説明する。
【００１８】
図２は本発明のフレキシブル回路ケーブル用コネクタの斜視図であって、アクチュエータの開位置を示す図である。図３は本発明のフレキシブル回路ケーブル用コネクタの斜視図であって、アクチュエータの閉位置を示す図である。図４は本発明のフレキシブル回路ケーブル用コネクタの分解斜視図である。図５は本発明のフレキシブル回路ケーブル用コネクタの正面図である。図６は本発明のフレキシブル回路ケーブル用コネクタの上面図である。図７は図２の側面図である。図８は図３の側面図である。図９は図４の部分拡大図である。
【００１９】
上記図面を参照すると、本発明のフレキシブル回路ケーブル用コネクタ（１００）は、フロントフリップ式構造を有し、後端部に端子挿入部（１１１）が形成されたハウジング（１１０）と、該ハウジング（１１０）を前記プリント回路基板（Ｐ）に締結するため、前記ハウジング（１１０）の前部の両側に挿入された取付け釘（１２０）と、前記端子挿入部（１１１）の片側に挿入され、締結された、複数の第１端子（主端子）（１３０）と、前記端子挿入部（１１１）の反対側に挿入され締結された、複数の第２端子（準端子）（１４０）と、前記取付け釘（１２０）上での枢動を可能にするため支持され、また閉位置にあるとき、フレキシブル回路ケーブル（１）と前記第１端子（１３０）および前記第２端子（１４０）との間に、電気的接続を確立するアクチュエータ（１５０）と、を備える。
【００２０】
本発明の目的のためのフレキシブル回路ケーブルは、フレキシブルプリント基板（ＦＰＣ）およびフレキシブルフラットケーブル（ＦＦＣ）などを含む。
【００２１】
本発明のフレキシブル回路ケーブル用コネクタ（１００）の構成を考察すると、まず、前記ハウジング（１１０）は、通常は合成樹脂などの絶縁体で形成されており、その後端部に形成されている端子挿入部（１１１）とともに、プリント回路基板（Ｐ）に配置されている。
【００２２】
前記ハウジング（１１０）の前端部の両側に、取付け釘穴（１１２）が形成されており、取付け釘（１２０）が前記取付け釘穴（１１２）に挿入され、締結される。前記ハウジング（１１０）は、溶接で前記プリント回路基板（Ｐ）に固定されている。前記取付け釘（１２０）は通常の銅合金製である。
【００２３】
前記第１端子（１３０）および前記第２端子（１４０）は通常の銅合金製であり、前記ハウジング（１１０）の前記端子挿入部（１１１）に挿入され、締結される。
【００２４】
前記第１端子（１３０）の上部には、受け溝（１３１ａ）を有する第１ビーム（１３１）が形成されており、底部には、フレキシブル回路ケーブル（１）の底面回路パターン（１ａ）と接触する、第２ビーム（１３３）が形成されており、後端部には、プリント回路基板（Ｐ）に溶接される溶接部（１３５）が形成されている。接触突起部（１３３ａ）が、前記第２ビーム（１３３）に形成されている。
【００２５】
前記第２端子（１４０）は前記端子挿入部（１１１）に挿入され、締結される。その上部には、支持面（１４１ａ）を有する第１ビーム（１４１）が形成され、底部には、フレキシブル回路ケーブル（１）の底面回路パターン（１ａ）に接触する第２ビーム（１４３）が形成され、後部には、プリント回路基板（Ｐ）に溶接される溶接部（１４５）が形成されている。接触突起部（１４３ａ）が前記第２ビーム（１４３）に形成されている。
【００２６】
前記アクチュエータ（１５０）は、枢動を可能にするよう、前記取付け釘（１２０）を支持するため、両端部から突起する、回転突起部（１５１）を形成しており、閉位置で、前記フレキシブル回路ケーブル（１）の底面回路パターン（１ａ）と前記第１および第２ビーム（１３３）及び（１４３）との間に電気接続を確立するよう作動する。
【００２７】
前記アクチュエータ（１５０）上に、前記第１端子（１３０）の前記受け溝（１３１ａ）を含み、また前記第１端子（１３０）に相当する位置で、長さ方向に回転軸（１５２）が形成されている。第２端子挿入溝（１５３）が、第２端子（１４０）の第１ビーム（１４１）の挿入のため、また前記第２端子（１４０）の相当位置に、長さ方向に形成されている。
【００２８】
本発明のフレキシブル回路ケーブル用コネクタ（１００）では、前記アクチュエータ（１５０）の回転突起部（１５１）は、枢動を可能にするよう前記取付け釘（１２０）に支持されている。
【００２９】
前記アクチュエータ（１５０）の回転突起部（１５１）は、前記取付け釘（１２０）の縁部（１２１）により上方に支持されており、前記第１端子（１３０）の第１ビーム（１３１）は回転軸（１５２）を下方に支持するため、その構造により、前記アクチュエータ（１５０）全体の滑らかな枢動が可能となる。本構造は公知の技術であるため、ここでの詳細な説明は省略する。
【００３０】
さらに、前記アクチュエータ（１５０）の前記回転軸（１５２）が、前記受け溝（１３１ａ）に挿入されたとき、前記第１端子（１３０）の第１ビーム（１３１）は上から下方に前記回転軸（１５２）を支持し（下方への支持）、同時に、前記第２端子（１４０）の第１ビーム（１４１）は、下から上方に前記アクチュエータ（１５０）を支持し（上方への支持）、このようにして、前記回転軸（１５２）が前記受け溝（１３１ａ）から脱離するのを防止する。
【００３１】
前記アクチュエータ（１５０）が閉められているときに、該アクチュエータ（１５０）の下部は、前記第１ビーム（１４１）の支持面（１４１ａ）に沿って誘導され、このようにして、前記アクチュエータ（１５０）の中央部の下方への弛みを防止し、該アクチュエータ（１５０）の前記回転軸（１５２）が、前記受け溝（１３１ａ）内で偶発的に滑り出るのを防止する。ここでは、前記アクチュエータ（１５０）の「中央部」とは、端子挿入部（１１１）に相当する位置のことを言う。すなわち、前記回転軸（１５１）に対し、アクチュエータ（１５０）の中央部のことである。
【００３２】
前記アクチュエータ（１５０）が閉位置にあるときでも、該アクチュエータ（１５０）の下部（１５０ａ）が前記第１ビーム（１４１）で支持されているため、前記アクチュエータ（１５０）の中央部が下方へ弛むのを防止する。
【００３３】
前記ハウジング（１１０）後部の両端には、複数の第１端子（１３０）のみが配置されているが、一方で、前記ハウジング（１１０）後部の中央部分には、前記第１端子（１３０）および前記第２端子（１４０）が交互に配置されてもよく、また図示はされていないものの、前記第１端子（１３０）および前記第２端子（１４０）が、前記ハウジング（１１０）の後部に交互に配置されることもまた可能である。すなわち、２：１（あるいは１：２）の構造で配置されることも可能である。
【００３４】
電気接続構造は、前記アクチュエータが閉位置にあるときに、前記第２ビーム（１３３）及び（１４３）の接触突起部（１３３ａ）及び（１４３ａ）が、前記アクチュエータ（１５０）真下のフレキシブルケーブル（１）底面の回路パターン（１ａ）に接触するよう、前記アクチュエータがフレキシブル回路ケーブルを下方に押す構造を採用することで、大幅に向上している。
【００３５】
上記に記載の、本発明によるフレキシブル回路ケーブル用コネクタの事実上の効果を、以下に説明する。
【００３６】
図１０に示す通り、アクチュエータ（１５０）が開位置で、また該アクチュエータ（１５０）の前記回転軸（１５２）が前記第１ビーム（１３１）の前記受け溝（１３１ａ）へ挿入されていると、前記第１端子（１３０）の前記第１ビーム（１３１）は、上から下に前記回転軸（１５２）を支持する（下方への支持）。
【００３７】
同時に、図１３に示す通り、アクチュエータ（１５０）の開位置では、該アクチュエータ（１５０）の下部（１５０ａ）は、前記第１ビーム（１４１）の支持面（１４１ａ）により支持されたままであるため、前記第２端子（１４０）の第１ビーム（１４１）は、アクチュエータ（１５０）を下から上に、上方向に支持する（上方への支持）。
【００３８】
図１１に示す通り、アクチュエータ（１５０）が閉められているとき、該アクチュエータ（１５０）の前記回転軸（１５２）は、前記第１ビーム（１３１）の前記受け溝（１３１ａ）内に挿入されたままであり、同時に、図１４に示す通り、アクチュエータ（１５０）が開位置のときに、該アクチュエータ（１５０）の下部（１５０ａ）は、前記第１ビーム（１４１）の支持面（１４１ａ）に沿って誘導される。
【００３９】
図１２および図１５に示す通り、アクチュエータ（１５０）が閉位置にあるとき、該アクチュエータ（１５０）はフレキシブル回路ケーブル（１）を下方に押すため、第２ビーム（１３３）及び（１４３）の接触突起部（１３３ａ）及び（１４３ａ）が、フレキシブル回路ケーブル（１）の底面回路パターン（１ａ）に接触する。
【００４０】
さらに、アクチュエータ（１５０）に外圧が加えられたとしても、該アクチュエータ（１５０）の下部（１５０ａ）が前記第１ビーム（１４１）の端部で支持されていることで、前記回転軸（１５２）が第１ビーム（１３１）の前記受け溝（１３１ａ）から脱離するのを効果的に防止することができ、加えて、前記アクチュエータ（１５０）の中央部が下方へ弛むのを防止することができる。
【００４１】
電気接続構造は、前記アクチュエータが閉位置にあるときに、該アクチュエータがフレキシブル回路ケーブルを下方に押すため、前記第２ビーム（１３３）及び（１４３）の接触突起部（１３３ａ）及び（１４３ａ）が、前記アクチュエータ（１５０）真下のフレキシブルケーブル（１）底面の回路パターン（１ａ）に接触するという構造を採用することで、大幅に向上している。また、これはアクチュエータが閉位置にあるときに、フレキシブル回路ケーブルが偶発的に滑り出るという問題も解決する。
【００４２】
上記の通り、本発明は、アクチュエータが閉められているときに、第１端子（主端子）に加えて備えられている複数の第２端子（準端子）により、アクチュエータの下部が第２端子の支持面に沿って誘導されているため、アクチュエータの回転軸が受け溝から偶発的に滑り出るのを防止し、またアクチュエータの中央部が下方へ弛むのを防止する効果を有する。
【００４３】
さらに、本発明はアクチュエータが閉位置にあるときにおいても、アクチュエータの下部が第２端子の第１ビーム端部で支持されているため、使用信頼度の向上を可能にし、また、アクチュエータの変形を防止する効果を有する。
【００４４】
本発明による権利は、上記の実施形態に限定されず、請求項に定義されている通りである。本発明の当業者が、請求項に記載の権限の範囲から逸脱しない限り、様々な改良を行うことができるのは明確である。
【符号の説明】
【００４５】
１：フレキシブル回路ケーブル
１ａ：底面回路パターン
Ｐ：プリント回路基板
１００：フレキシブル回路ケーブル用コネクタ
１１０：ハウジング
１１１：端子挿入部
１１２：取付け釘穴
１２０：取付け釘
１３０：第１端子
１３１：第１ビーム
１３１ａ：受け溝
１３５：溶接部
１３３：第２ビーム
１３３ａ：接触突起部
１４０：第２端子
１４１：第１ビーム
１４１ａ：支持面
１４３：第２ビーム
１４３ａ：接触突起部
１５０：アクチュエータ
１５１：回転突起部
１５２：回転軸
１５３：第２端子挿入溝
【図１】
0005671680.tif 000002
【図２】
0005671680.tif 000003
【図３】
0005671680.tif 000004
【図４】
0005671680.tif 000005
【図５】
0005671680.tif 000006
【図６】
0005671680.tif 000007
【図７】
0005671680.tif 000008
【図８】
0005671680.tif 000009
【図９】
0005671680.tif 000010
【図１０】
0005671680.tif 000011
【図１１】
0005671680.tif 000012
【図１２】
0005671680.tif 000013
【図１３】
0005671680.tif 000014
【図１４】
0005671680.tif 000015
【図１５】
0005671680.tif 000016